(57)【要約】【課題】生育情報マップの表示範囲をユーザが容易に設定できかつユーザによって設定された表示範囲に応じた生育情報マップを生成してユーザ端末に提供できる生育情報マップ提供システムを提供する。【解決手段】生育情報マップ提供システム３は、生育情報マップの表示範囲を設定するための表示範囲設定画面８１を含むウェブページをユーザ端末２に送信する手段５と、表示範囲設定画面８１に基づいて設定された表示範囲情報がユーザ端末２から送られてきた場合には、当該表示範囲情報に応じた表示範囲内の生育情報マップを生成し、生成された当該生育情報マップを含むウェブページをユーザ端末２に送信する手段５，６とを含む。【選択図】図１
2019207638.tif 000002
【特許請求の範囲】
【請求項１】
ユーザ端末からの要求に基づいて、特定ユーザの圃場に対する生育情報画像を含む生育情報マップを生成し、生成された前記生育情報マップを含むウェブページを、前記ユーザ端末に提供するための生育情報マップ提供システムであって、
前記生育情報マップの表示範囲を設定するための表示範囲設定画面を含むウェブページを前記ユーザ端末に送信する手段と、
前記表示範囲設定画面に基づいて設定された表示範囲情報が前記ユーザ端末から送られてきた場合には、当該表示範囲情報に応じた表示範囲内の生育情報マップを生成し、生成された当該生育情報マップを含むウェブページを前記ユーザ端末に送信する手段とを含む、生育情報マップ提供システム。
【請求項２】
前記表示範囲設定画面は、前記生育情報マップ提供システムに登録されている前記特定ユーザの１または複数の圃場のうちから、前記生育情報マップにその生育情報画像が表示されるべき圃場を絞り込むための設定を行う画面であり、前記生育情報画像を生成するための生育情報を取得するために圃場が撮影された撮影日、作物種別、栽植密度、栽培様式、植付様式および施肥体系のうち、少なくとも１つを絞り込み項目として設定できるように構成されている、請求項１に記載の生育情報マップ提供システム。
【請求項３】
前記表示範囲設定画面は、予め設定された複数種類の生育情報のうちから前記生育情報画像を生成するために用いられる生育情報をも設定できるように構成されている、請求項２に記載の生育情報マップ提供システム。
【請求項４】
ユーザ端末からの要求に基づいて、特定ユーザの圃場に対する生育情報画像を含む生育情報マップを生成し、生成された前記生育情報マップを含むウェブページを、前記ユーザ端末に提供するための生育情報マップ提供システムであって、
前記生育情報マップの表示態様を設定するための表示態様設定画面を含むウェブページを前記ユーザ端末に送信する手段と、
前記表示態様設定画面に基づいて設定された表示態様設定情報が前記ユーザ端末から送られてきた場合には、当該表示態様設定情報に応じた表示態様の生育情報マップを生成し、生成された当該生育情報マップを含むウェブページを前記ユーザ端末に送信する手段とを含む、生育情報マップ提供システム。
【請求項５】
前記圃場に対する生育情報画像が、前記圃場の分割小領域であるメッシュ毎に、生育情報が色分け表示された画像であり、
前記表示態様設定画面は、メッシュサイズ、色分け表示の配色パターンならびに色分け表示範囲の下限および上限の決定様式のうち、少なくとも１つを設定できるように構成されている、請求項４に記載の生育情報マップ提供システム。
【請求項６】
前記表示態様設定画面は、予め設定された複数種類の生育情報のうちから前記生育情報画像を生成するために用いられる生育情報をも設定できるように構成されている、請求項５に記載の生育情報マップ提供システム。
【請求項７】
ユーザ端末からの要求に基づいて、特定ユーザの圃場に対する生育情報画像を含む生育情報マップを生成し、生成された前記生育情報マップを含むウェブページを、前記ユーザ端末に提供するための生育情報マップ提供システムであって、
前記生育情報マップの表示範囲を設定するための表示範囲設定画面を含むウェブページを前記ユーザ端末に送信する手段と、
前記生育情報マップの表示態様を設定するための表示態様設定画面を含むウェブページを前記ユーザ端末に送信する手段と、
前記表示範囲設定画面に基づいて設定された表示範囲設定情報および前記表示態様設定画面に基づいて設定された表示態様設定情報が、前記ユーザ端末から送られてきた場合には、当該表示範囲情報に応じた表示範囲内でかつ当該表示態様設定情報に応じた表示態様の生育情報マップを生成し、生成された当該生育情報マップを含むウェブページを前記ユーザ端末に送信する手段とを含む、生育情報マップ提供システム。
【請求項８】
前記圃場に対する生育情報画像が、前記圃場の分割小領域であるメッシュ毎に、生育情報が色分け表示された画像であり、
前記表示範囲設定画面は、前記生育情報マップ提供システムに登録されている前記特定ユーザの１または複数の圃場のうちから、前記生育情報マップにその生育情報画像が表示されるべき圃場を絞り込むための設定を行う画面であり、前記生育情報画像を生成するための生育情報を取得するために圃場が撮影された撮影日、作物の種類、栽植密度、栽培様式、植付様式および施肥体系のうち、少なくとも１つを絞り込み項目として設定できるように構成されており、
前記表示態様設定画面は、メッシュサイズ、色分け表示の配色パターンならびに色分け表示範囲の下限および上限の決定様式のうち、少なくとも１つを設定できるように構成されている、請求項７に記載の生育情報マップ提供システム。
【請求項９】
前記表示範囲設定画面または前記表示態様設定画面は、予め設定された複数種類の生育情報のうちから前記生育情報画像を生成するために用いられる生育情報をも設定できるように構成されている、請求項８に記載の生育情報マップ提供システム。
【発明の詳細な説明】
【技術分野】
【０００１】
この発明は、生育情報マップ提供システムに関する。
【背景技術】
【０００２】
特許文献１には、圃場のリモートセンシングデータおよび土壌サンプリングデータに基づいて作成された可変施肥マップを、インターネットを介してサーバから営農者端末にダウンロードできるようにしたシステムが開示されている。
【先行技術文献】
【特許文献】
【０００３】
【特許文献１】特開２０１１−２５４７１１号公報
【発明の概要】
【発明が解決しようとする課題】
【０００４】
この発明の目的は、生育情報マップの表示範囲をユーザが容易に設定できかつユーザによって設定された表示範囲に応じた生育情報マップを生成してユーザ端末に提供できる生育情報マップ提供システムを提供することである。
この発明の目的は、生育情報マップの表示態様をユーザが容易に設定できかつユーザによって設定された表示態様で生育情報マップを生成してユーザ端末に提供できる生育情報マップ提供システムを提供することである。
【課題を解決するための手段】
【０００５】
この発明による第１の生育情報マップ提供システムは、ユーザ端末からの要求に基づいて、特定ユーザの圃場に対する生育情報画像を含む生育情報マップを生成し、生成された前記生育情報マップを含むウェブページを、前記ユーザ端末に提供するための生育情報マップ提供システムであって、前記生育情報マップの表示範囲を設定するための表示範囲設定画面を含むウェブページを前記ユーザ端末に送信する手段と、前記表示範囲設定画面に基づいて設定された表示範囲情報が前記ユーザ端末から送られてきた場合には、当該表示範囲情報に応じた表示範囲内の生育情報マップを生成し、生成された当該生育情報マップを含むウェブページを前記ユーザ端末に送信する手段とを含む。
【０００６】
この構成によれば、生育情報マップの表示範囲をユーザが容易に設定できるようになる。そして、ユーザによって設定された表示範囲に応じた生育情報マップを生成して、ユーザ端末に提供できる。
前記第１の生育情報マップ提供システムの一実施形態では、前記表示範囲設定画面は、前記生育情報マップ提供システムに登録されている前記特定ユーザの１または複数の圃場のうちから、前記生育情報マップにその生育情報画像が表示されるべき圃場を絞り込むための設定を行う画面であり、前記生育情報画像を生成するための生育情報を取得するために圃場が撮影された撮影日、作物種別、栽植密度、栽培様式、植付様式および施肥体系のうち、少なくとも１つを絞り込み項目として設定できるように構成されている。
【０００７】
前記第１の生育情報マップ提供システムの一実施形態では、前記表示範囲設定画面は、予め設定された複数種類の生育情報のうちから前記生育情報画像を生成するために用いられる生育情報をも設定できるように構成されている。
この発明による第２の生育情報マップ提供システムは、ユーザ端末からの要求に基づいて、特定ユーザの圃場に対する生育情報画像を含む生育情報マップを生成し、生成された前記生育情報マップを含むウェブページを、前記ユーザ端末に提供するための生育情報マップ提供システムであって、前記生育情報マップの表示態様を設定するための表示態様設定画面を含むウェブページを前記ユーザ端末に送信する手段と、前記表示態様設定画面に基づいて設定された表示態様設定情報が前記ユーザ端末から送られてきた場合には、当該表示態様設定情報に応じた表示態様の生育情報マップを生成し、生成された当該生育情報マップを含むウェブページを前記ユーザ端末に送信する手段とを含む。
【０００８】
この構成によれば、生育情報マップの表示態様をユーザが容易に設定できるようになる。そして、ユーザによって設定された表示態様で生育情報マップを生成してユーザ端末に提供できる。
前記第２の生育情報マップ提供システムの一実施形態では、前記圃場に対する生育情報画像が、前記圃場の分割小領域であるメッシュ毎に、生育情報が色分け表示された画像であり、前記表示態様設定画面は、メッシュサイズ、色分け表示の配色パターンならびに色分け表示範囲の下限および上限の決定様式のうち、少なくとも１つを設定できるように構成されている。
【０００９】
前記第２の生育情報マップ提供システムの一実施形態では、前記表示態様設定画面は、予め設定された複数種類の生育情報のうちから前記生育情報画像を生成するために用いられる生育情報をも設定できるように構成されている。
この発明による第３の生育情報マップ提供システムは、ユーザ端末からの要求に基づいて、特定ユーザの圃場に対する生育情報画像を含む生育情報マップを生成し、生成された前記生育情報マップを含むウェブページを、前記ユーザ端末に提供するための生育情報マップ提供システムであって、前記生育情報マップの表示範囲を設定するための表示範囲設定画面を含むウェブページを前記ユーザ端末に送信する手段と、前記生育情報マップの表示態様を設定するための表示態様設定画面を含むウェブページを前記ユーザ端末に送信する手段と、前記表示範囲設定画面に基づいて設定された表示範囲設定情報および前記表示態様設定画面に基づいて設定された表示態様設定情報が、前記ユーザ端末から送られてきた場合には、当該表示範囲情報に応じた表示範囲内でかつ当該表示態様設定情報に応じた表示態様の生育情報マップを生成し、生成された当該生育情報マップを含むウェブページを前記ユーザ端末に送信する手段とを含む。
【００１０】
この構成によれば、生育情報マップの表示範囲および表示態様をユーザが容易に設定できるようになる。そして、ユーザによって設定された表示範囲に応じた生育情報マップを、ユーザによって設定された表示態様で生成してユーザ端末に提供できる。
前記第３の生育情報マップ提供システムの一実施形態では、前記圃場に対する生育情報画像が、前記圃場の分割小領域であるメッシュ毎に、生育情報が色分け表示された画像であり、前記表示範囲設定画面は、前記生育情報マップ提供システムに登録されている前記特定ユーザの１または複数の圃場のうちから、前記生育情報マップにその生育情報画像が表示されるべき圃場を絞り込むための設定を行う画面であり、前記生育情報画像を生成するための生育情報を取得するために圃場が撮影された撮影日、作物の種類、栽植密度、栽培様式、植付様式および施肥体系のうち、少なくとも１つを絞り込み項目として設定できるように構成されており、前記表示態様設定画面は、メッシュサイズ、色分け表示の配色パターンならびに色分け表示範囲の下限および上限の決定様式のうち、少なくとも１つを設定できるように構成されている。
【００１１】
前記第３の生育情報マップ提供システムの一実施形態では、前記表示範囲設定画面または前記表示態様設定画面は、予め設定された複数種類の生育情報のうちから前記生育情報画像を生成するために用いられる生育情報をも設定できるように構成されている。
【図面の簡単な説明】
【００１２】
【図１】図１は、この発明の一実施形態に係る作物生育マップ提供システムが適用された生育情報マップ表示システムの構成を示す模式図である。
【図２】図２は、生育情報画像の一例を示す模式図である。
【図３】図３は、ユーザ端末に表示される閲覧画面の一例を示す模式図である。
【図４】図４は、閲覧画面内の表示範囲設定画面の拡大模式図である。
【図５】図５は、閲覧画面内の表示態様設定画面の拡大模式図である。
【図６】図６は、ユーザ別圃場テーブルの一例を示す模式図である。
【図７】図７は、圃場情報管理テーブルの一例を示す模式図である。
【図８】図８は、メッシュ情報管理テーブルの一例を示す模式図である。
【図９Ａ】図９Ａは、生育情報マップ表示システムの動作を説明するためのシーケンス図の一部である。
【図９Ｂ】図９Ｂは、生育情報マップ表示システムの動作を説明するためのシーケンス図の一部である。
【図１０】図１０は、閲覧画面の変形例を示す模式図である。
【図１１】図１１は、閲覧画面の他の変形例を示す模式図である。
【発明を実施するための形態】
【００１３】
以下では、この発明の実施形態を、添付図面を参照して詳細に説明する。
図１は、この発明の一実施形態に係る生育情報マップ提供システムが適用された生育情報マップ表示システム１の構成を示す模式図である。
生育情報マップ表示システム１は、ユーザ端末２と、生育情報マップ提供システム３とを含む。ユーザ端末２と生育情報マップ提供システム３とは、インターネット４を介して接続されている。
【００１４】
生育情報マップ提供システム３は、ユーザ端末２からの要求に基づいて、特定ユーザの圃場に対する生育情報画像を含む生育情報マップを生成し、生成された生育情報マップを含むウェブページを、ユーザ端末２に提供する。ユーザ端末２は、生育情報マップ提供システム３によって提供されるウェブページに基づいて、生育情報マップを含む閲覧画面をディスプレイに表示する。
【００１５】
生育情報とは、作物の生育に関する情報をいい、作物の生育状況を表す情報、作物の生育状況から算出される施肥量等の情報を含む。この実施形態では、生育情報は、葉色情報、植被率情報および葉色・植被率乗算値情報の３種類がある。
葉色とは、作物の葉の色をいう。植被率とは、所定領域内を作物が覆っている割合をいう。葉色・植被率乗算値とは、葉色と植被率との乗算値（葉色×植被率）をいうこれら各情報は、０．００〜１．００の範囲の値をとるものとする。
【００１６】
この実施形態では、葉色としては、正規化差植生指数（NDVI : Normalized Difference Vegetation Index）が用いられる。植物の緑葉は赤色等の可視光を吸収し、近赤外領域の波長の光を強く反射する。ＮＤＶＩは、このような緑葉の性質を利用した指数であって、植生の有無や活性度を表す指数である。ＮＤＶＩは、次式（１）で定義される。
ＮＤＶＩ＝（ＩＲ−Ｒ）／（ＩＲ＋Ｒ）  …（１）
ＩＲ：近赤外光の観測値
Ｒ：可視光の観測値
ある圃場に対する生育情報画像は、当該圃場内のメッシュ毎に生育情報を表した画像である。メッシュとは、圃場を複数の矩形状（この実施形態では正方形状）の小領域に分割した場合の個々の小領域を意味する。この実施形態では、図２に示すように、圃場Ｆに対する生育情報画像ＧＦは、当該圃場Ｆ内のメッシュ毎に、生育情報が色分け表示された画像である。
【００１７】
特定ユーザの圃場に対する生育情報マップは、生育情報マップ提供システム３に予め登録されている当該特定ユーザの１または複数の圃場のうちから、後述する表示範囲設定画面８１（図３、図４参照）に基づき当該特定ユーザが指定した圃場各々に対する生育情報画像を含むマップである。特定ユーザの圃場に対する生育情報マップは、例えば、当該特定ユーザによって指定された全ての圃場を含む所定領域の地図画像に、これらの圃場各々に対する生育情報画像が貼り付けられることにより生成される。
【００１８】
図３は、ユーザ端末２に表示される閲覧画面の一例を示す模式図である。
閲覧画面８０は、表示範囲設定画面８１と、表示態様設定画面８２と、確定ボタン８３と、マップ表示画面８４と含む。表示範囲設定画面８１は、主として、生育情報マップの表示範囲を設定するための設定画面である。表示態様設定画面８２は、生育情報マップの表示態様を設定するための画面である。
【００１９】
確定ボタン８３は、設定画面８１，８２で設定された設定内容を確定させるためのボタンである。マップ表示画面８４には、表示範囲設定画面８１によって設定された表示範囲内でかつ表示態様設定画面８２によって設定された表示態様の生育情報マップが表示される。
図４は、表示範囲設定画面８１の拡大模式図である。図５は、表示態様設定画面８２の拡大模式図である。以下、表示範囲設定画面８１、表示態様設定画面８２およびマップ表示画面８４についてより詳しく説明する。
【００２０】
図３および図４を参照して、表示範囲設定画面８１について説明する。
表示範囲設定画面８１は、主として、Ｗｅｂサーバ５に登録されている特定ユーザの１または複数の圃場のうちから、生育情報マップにその生育情報画像が表示されるべき圃場を絞り込むための設定を行うための画面である。この実施形態では、表示範囲設定画面８１は、予め設定された複数種類の生育情報のうちから生育情報画像を生成するために用いられる生育情報を設定（選択）するための設定画面としての機能も有している。
【００２１】
圃場を絞り込むための絞り込み項目には、この実施形態では、撮影日、作物種別（作物の種類または品種）、作物の栽植密度、作物の栽培様式、作物の植付様式および施肥体系がある。撮影日は、生育情報画像を生成するための生育情報を取得するために圃場が撮影された日である。
表示範囲設定画面８１内には、これらの絞り込み項目に対応する項目設定ボタン９１〜９６が表示される。各項目設定ボタン９１〜９６には、対応する絞り込み項目名と、対応する絞り込み項目に対して現在選択されている細項目名と、被クリック部を示すＶマークが表示される。項目設定ボタン内の被クリック部がクリックされると、対応する絞り込み項目に対する複数の細項目がプルダウンリスト（またはドロップダウンリスト）として表示されるので、ユーザはその中から所望の細項目をクリックすることにより、当該絞り込み項目に対する細項目を容易に設定できる。
【００２２】
作物種別に対する細項目としては、この実施形態では、「こしひかり」、「あきたこまち」、「ひのひかり」および「全て」の４種類がある。「全て」とは、全ての作物種別を意味する。
栽植密度に対する細項目としては、この実施形態では、「４０株／坪」、「４５株／坪」、「５０株／坪」および「全て」の４種類がある。「全て」とは、全ての栽植密度を意味する。
【００２３】
栽培様式に対する細項目としては、この実施形態では、「慣行栽培（慣行）」、「特別栽培（特栽）」、「有機栽培（有機）」および「全て」の４種類がある。「全て」とは、全ての栽培様式を意味する。
植付様式に対する細項目としては、この実施形態では、「移植」、「直播」および「全て」の３種類がある。「全て」とは、全ての植付様式を意味する。
【００２４】
施肥体系に対する細項目としては、この実施形態では、「一発元肥」、「追肥」および「全て」の３種類がある。「全て」とは、全ての施肥体系を意味する。
表示範囲設定画面８１内には、さらに、生育情報を選択するための情報種別選択ボタン９７が表示される。情報種別選択ボタンには、情報種別という文字列と、現在選択されている生育情報名と、被クリック部を示すＶマークとが表示される。情報種別選択ボタン内の被クリック部がクリックされると、選択候補がプルダウンリスト（またはドロップダウンリスト）として表示されるので、ユーザはその中から所望の選択候補をクリックすることにより、生育情報マップとして表示すべき生育情報を容易に設定できる。この実施形態では、選択候補は、葉色情報、植被率情報および葉色・植被率乗算値情報の３種類である。
【００２５】
次に、図３および図５を参照して、表示態様設定画面８２について説明する。
表示態様設定画面８２によって設定できる表示態様設定項目には、メッシュサイズ、色分け表示の配色パターンならびに色分け表示範囲の下限および上限の決定様式がある。
表示態様設定画面８２内には、これらの表示態様設定項目に対応する項目設定ボタン１０１〜１０３と、下限設定ボックス１０４と、上限設定ボックス１０５とが表示される。以下において、項目設定ボタン１０１、１０２および１０３を、それぞれ、メッシュサイズ設定ボタン１０１、配色パターン設定ボタン１０２および上下限決定様式設定ボタン１０３という場合がある。
【００２６】
各項目設定ボタン１０１〜１０３には、対応する表示態様設定項目名と、対応する表示態様設定項目に対して現在選択されている細項目名と、被クリック部を示すＶマークが表示される。項目設定ボタン内の被クリック部がクリックされると、対応する表示態様設定項目に対する複数の細項目がプルダウンリスト（またはドロップダウンリスト）として表示されるので、ユーザはその中から所望の細項目をクリックすることにより、当該表示態様設定項目に対する細項目を容易に設定できる。
【００２７】
メッシュサイズ設定ボタン１０１は、生育情報画像を生成する際のメッシュの大きさ（縦×横）を設定するためのボタンである。メッシュサイズの種類（細項目）には、この実施形態では、１ｍ×１ｍ、３ｍ×３ｍ、５ｍ×５ｍおよび１０ｍ×１０ｍの４種類がある。以下において、１ｍ×１ｍの大きさのメッシュを最小メッシュという場合がある。
配色パターン設定ボタン１０２は、色分け表示の配色パターンを設定するためのボタンである。配色パターンの種類（細項目）には、この実施形態では、第１配色パターン、第２配色パターンおよび第３配色パターンの３種類がある。
【００２８】
上下限決定様式設定ボタン１０３は、色分け表示範囲の下限および上限の決定様式を設定するためのボタンである。色分け表示範囲の下限および上限の決定様式の種類（細項目）には、この実施形態では、第１決定様式、第２決定様式および第３決定様式の３種類がある。
第１決定様式は、表示しようとする生育情報マップに含まれる全てのメッシュ各々に対する生育情報のうちの最小値を色分け表示範囲の下限として設定し、それらの生育情報のうちの最大値を色分け表示範囲の上限として設定する様式である。言い換えれば、全てのメッシュ各々に対する生育情報のうちの最小値から最大値までの範囲に、色分け表示の全範囲を割り当てる様式である。したがって、全てのメッシュ各々に対する生育情報のうちの最小値から最大値までの範囲が狭いほど、生育情報をより細分化して色分け表示できる。
【００２９】
第２決定様式は、色分け表示範囲の下限および上限を次のようにして決定する様式である。すなわち、まず、表示しようとする生育情報マップに含まれる全てのメッシュ各々に対する生育情報（以下、表示対象生育情報という）が大きさの順番に並べられる。次に、表示対象生育情報のうち、値が最も小さいものから、表示対象生育情報の個数全体の所定％（例えば１０％）に相当する所定個数分の生育情報が除外されるとともに、値が最も大きいものから、前記所定個数分の生育情報が除外される。そして、除外されなかった残りの表示対象生育情報のうちの最小値が色分け表示範囲の下限として設定され、残りの表示対象生育情報のうちの最大値が色分け表示範囲の上限として設定される。
【００３０】
ただし、除外された表示対象生育情報のうち、除外されなかった残りの表示対象生育情報の最小値以下の生育情報には、残りの表示対象生育情報の最小値に割り当てられる色と同じ色が割り当てられる。また、除外された表示対象生育情報のうち、除外されなかった残りの表示対象生育情報の最大値以上の生育情報には、残りの表示対象生育情報の最大値に割り当てられる色と同じ色が割り当てられる。
【００３１】
第３決定様式は、色分け表示範囲の下限および上限が手動で設定される様式である。第３決定様式が選択された場合には、下限設定ボックス１０４に色分け表示範囲の下限とすべき生育情報値が設定され、上限設定ボックス１０５に色分け表示範囲の上限とすべき生育情報値が設定される。
表示範囲設定画面８１によって設定された設定内容および表示態様設定画面８２によって設定された設定内容は、確定ボタン８３が押されることによって確定される。したがって、確定ボタン８３が押されることによって、表示範囲設定画面８１および表示態様設定画面８２によって設定された設定内容が反映された生育情報マップがマップ表示画面８４に表示されることになる。
【００３２】
次に、図３を参照して、マップ表示画面８４について説明する。マップ表示画面８４には、表示範囲設定画面８１によって絞り込まれた圃場に対する生育情報画像を含む生育情報マップが表示される。図３の例では、生育情報マップは、４つの圃場Ｆ１〜Ｆ４に対する生育情報画像ＧＦ１〜ＧＦ４を含んでいる。これらの生育情報画像ＧＦ１〜ＧＦ４は、情報種別選択ボタン９７によって選択された生育情報を表す生育情報画像である。また、これらの生育情報画像ＧＦ１〜ＧＦ４は、表示態様設定画面８２によって設定された表示態様で表示される。
【００３３】
図１に戻り、ユーザ端末２は、パーソナルコンピュータ（ＰＣ）２１と、ディスプレイ２２と、マウス、キーボード等の操作機器２３とを含む。パーソナルコンピュータ（ＰＣ）２１は、図示しないが、ＣＰＵ、メモリ、ハードディスク等を含む。ハードディスクには、ＯＳ（オペレーションシステム）の他、Ｗｅｂページを閲覧するためのブラウザ（browser）等のプログラム、その他必要なデータが格納されている。
【００３４】
生育情報マップ提供システム３は、この実施形態では、Ｗｅｂページ提供サーバ５（以下、単に「Ｗｅｂサーバ５」という）と、画像生成サーバ６と、情報蓄積サーバ７とを含む。各サーバ５，６，７は、インターネット４を介して互いに接続されている。各サーバ５，６，７は、インターネット４を介して、ユーザ端末２にも接続されている。
Ｗｅｂサーバ５は、前述した閲覧画面８０を含むＷｅｂページ等のＷｅｂページをユーザ端末２に提供するサーバである。Ｗｅｂサーバ５は、所定のＷｅｂページ生成プログラムが搭載されたＰＣからなる。ＰＣ内のハードディスク内には、Ｗｅｂページ生成プログラム５１の他、ユーザ別圃場テーブル５２、圃場情報管理テーブル５３、地図画像５４等が格納されている。地図画像５４は、例えば、衛星画像である。地図画像５４は、航空写真画像であってもよい。
【００３５】
図６は、ユーザ別圃場テーブル５２の一例を示す模式図である。
ユーザ別圃場テーブル５２は、Ｗｅｂサーバ５に登録されているユーザのＩＤ毎に、当該ユーザが所有する圃場のうち、Ｗｅｂサーバ５に登録されている圃場のＩＤを記憶したテーブルである。
図７は、圃場情報管理テーブル５３の一例を示す模式図である。
【００３６】
圃場情報管理テーブル５３は、Ｗｅｂサーバ５に登録されている圃場ＩＤ毎に、圃場に関する情報（圃場情報）を記憶したテーブルである。この実施形態では、圃場情報には、当該圃場の位置を特定するための位置情報の他、前述した撮影日、作物種別、栽植密度、栽培様式、植付様式および施肥体系が含まれる。圃場の位置を特定するための位置情報は、例えば、当該圃場の輪郭線上の複数の点の位置情報からなる。
【００３７】
画像生成サーバ６は、Ｗｅｂサーバ５によって特定される圃場各々に対する生育情報画像と、透明背景画像とからなるオーバーレイ画像を生成するためのサーバである。画像生成サーバ６は、画像生成プログラムが搭載されたＰＣからなる。ＰＣ内のハードディスク内には、画像生成プログラム６１等が格納されている。
情報蓄積サーバ７は、Ｗｅｂサーバ５に登録されている各圃場の最小メッシュ毎の各種情報（以下、メッシュ情報という）等を蓄積しているサーバである。情報蓄積サーバ７は、所定のデータ管理プログラムが搭載されたＰＣからなる。ＰＣ内のハードディスク内には、データ管理プログラム７１の他、メッシュ情報管理テーブル７２等が格納されている。
【００３８】
図８は、メッシュ情報管理テーブル７２の一例を示す模式図である。
メッシュ情報管理テーブル７２は、Ｗｅｂサーバ５に登録されている圃場ＩＤ毎に、メッシュ情報を記憶したテーブルである。ある圃場に対するメッシュ情報は、その圃場内の最小メッシュのメッシュＩＤ毎に、当該最小メッシュの位置を特定するための位置情報および当該最小メッシュに対する３種類の生育情報（葉色情報、植被率情報および葉色・植被率乗算値情報）からなる。最小メッシュの位置を特定するための位置情報は、例えば、当該最小メッシュの４頂点の位置情報または４頂点のうちの一組の対頂点の位置情報からなる。最小メッシュの位置を特定するための位置情報は、当該最小メッシュの中心の位置情報を含んでいてもよい。
【００３９】
図９Ａおよび図９Ｂは、生育情報マップ表示システム１の動作を説明するためのシーケンス図である。
特定ユーザは、アカウント（ユーザＩＤ、パスワード）をＷｅｂサーバ５に登録しているものとする。また、特定ユーザは、自己が所有する圃場のうち生育情報マップの表示対象となり得る圃場に関する情報（図７の圃場情報管理テーブルに示される各圃場情報）をＷｅｂサーバ５に登録しているものとする。
【００４０】
特定ユーザがユーザ端末２に対して、当該特定ユーザ専用のＨＴＭＬファイルを要求するための操作を行うと、ユーザ端末２からＷｅｂサーバ５に、当該ＨＴＭＬファイルを要求するコマンド（ＨＴＭＬ要求コマンド）がＷｅｂサーバ５に送信される（ステップＳ１）。
Ｗｅｂサーバ５は、このＨＴＭＬコマンドを受信すると、当該特定ユーザ（ログインユーザ）のユーザＩＤ（以下、ログインユーザＩＤという場合がある）とユーザ別圃場テーブル５２（図６参照）とに基づいて、ログインユーザＩＤに対して登録されている全ての圃場ＩＤを取得する（ステップＳ２）。そして、Ｗｅｂサーバ５は、取得した全ての圃場ＩＤ、デフォルトの生育情報種類およびデフォルトの表示態様設定内容を含む画像生成コマンドを、画像生成サーバ６に送信する（ステップＳ３）。
【００４１】
画像生成サーバ６は、この画像生成コマンドを受信すると、受信した画像生成コマンドに含まれる全ての圃場ＩＤを含む情報要求コマンドを情報蓄積サーバ７に送信する（ステップＳ４）。
情報蓄積サーバ７は、この情報要求コマンドを受信すると、情報要求コマンドに含まれる全ての圃場ＩＤ各々に対応するメッシュ情報を、メッシュ情報管理テーブル７２から取得して、画像生成サーバ６に送信する（ステップＳ５）。
【００４２】
画像生成サーバ６は、メッシュ情報を受信すると、受信したメッシュ情報と、ステップＳ３に基づきＷｅｂサーバ５から受信したデフォルトの生育情報種類およびデフォルトの表示態様設定内容とに基づいて、オーバーレイ画像を生成する（ステップＳ６）。
具体的には、画像生成サーバ６は、まず、ステップＳ３に基づきＷｅｂサーバ５から受信した圃場ＩＤ各々に対応する圃場（以下、表示対象圃場という）に対する生育情報画像を生成する。この際、画像生成サーバ６は、デフォルトの生育情報種類およびデフォルトの表示態様設定内容に基づいて、生育情報画像を生成する。そして、画像生成サーバ６は、生成された生育情報画像と、透明背景画像とからなるオーバーレイ画像を生成する。
【００４３】
次に、画像生成サーバ６は、生成されたオーバーレイ画像をＷｅｂサーバ５に送信する（ステップＳ７）。
Ｗｅｂサーバ５は、オーバーレイ画像を受信すると、まず、受信したオーバーレイ画像を、地図画像に貼付けることにより、生育情報マップを生成する。そして、Ｗｅｂサーバ５は、生育情報マップを含む閲覧画面（初期閲覧画面）を構成するＨＴＭＬファイルを生成する（ステップＳ８）。
【００４４】
次に、Ｗｅｂサーバ５は、生成されたＨＴＭＬファイルを、ユーザ端末に送信する（ステップＳ９）。
ユーザ端末２は、Ｗｅｂサーバ５からのＨＴＭＬファイルを受信すると、受信したＨＴＭＬファイルに基づいて、閲覧画面（初期閲覧画面）をディスプレイ２２に表示する（ステップＳ１０）。
【００４５】
初期閲覧画面の構成は、図３に示される閲覧画面８０と同様である。つまり、初期閲覧画面は、表示範囲設定画面８１と、表示態様設定画面８２と、確定ボタン８３と、マップ表示画面８４と含む。初期閲覧画面においては、マップ表示画面８４には、特定ユーザ（ログインユーザ）の全ての登録済圃場に対する生育情報画像であって、デフォルトの生育情報種類およびデフォルトの表示態様設定内容に基いて生成された生育情報画像を含む生育情報マップが表示される。
【００４６】
特定ユーザは、生育情報マップの表示範囲や表示態様を変更したい場合には、初期閲覧画面内の表示範囲設定画面８１や表示態様設定画面８２を操作して表示範囲や表示態様を設定（変更）する（ステップＳ１１）。そして、特定ユーザは、確定ボタン８３を押す（ステップＳ１２）。
確定ボタン８３が操作されると、ユーザ端末２は、特定ユーザによって設定された表示範囲設定内容（生育情報の種類を含む）および表示態様設定内容をＷｅｂサーバに送信する（ステップＳ１３）。
【００４７】
Ｗｅｂサーバ５は、表示範囲設定内容および表示態様設定内容を受信すると、ログインユーザＩＤおよび受信した表示範囲設定内容（生育情報の種類を除く）に適合する圃場ＩＤを特定する（ステップＳ１４）。具体的には、Ｗｅｂサーバ５は、まず、ログインユーザＩＤとユーザ別圃場テーブル５２（図６参照）に基づいて、ログインユーザＩＤに対応する圃場ＩＤを取得する。そして、取得した圃場ＩＤと、圃場情報管理テーブル５３（図７参照）と、受信した表示範囲設定内容に基づいて、取得した圃場ＩＤのうち、受信した表示範囲設定内容に適合する圃場ＩＤを特定する。
【００４８】
次に、Ｗｅｂサーバ５は、特定された全ての圃場ＩＤならびにユーザ端末２から受信した表示範囲設定内容に含まれる生育情報種類および表示態様設定内容を含む画像生成コマンドを、画像生成サーバ６に送信する（ステップＳ１５）。
画像生成サーバ６は、この画像生成コマンドを受信すると、受信した画像生成コマンドに含まれる全ての圃場ＩＤを含む情報要求コマンドを情報蓄積サーバ７に送信する（ステップＳ１６）。
【００４９】
情報蓄積サーバ７は、この情報要求コマンドを受信すると、情報要求コマンドに含まれる全ての圃場ＩＤ各々に対応するメッシュ情報をメッシュ情報管理テーブル７２から取得して、画像生成サーバ６に送信する（ステップＳ１７）。
画像生成サーバ６は、メッシュ情報を受信すると、受信したメッシュ情報と、ステップＳ１５に基づきＷｅｂサーバ５から受信した表示範囲設定内容に含まれる生育情報種類および表示態様設定内容とに基づいて、オーバーレイ画像を生成する（ステップＳ１８）。
【００５０】
具体的には、画像生成サーバ６は、まず、ステップＳ１５に基づきＷｅｂサーバ５から受信した圃場ＩＤ各々に対応する圃場（以下、表示対象圃場という）に対する生育情報画像を生成する。この際、画像生成サーバ６は、ステップＳ１５に基づきＷｅｂサーバ５から受信した表示範囲設定内容に含まれる生育情報種類および表示態様設定内容に基づいて、生育情報画像を生成する。そして、画像生成サーバ６は、生成された生育情報画像と、透明背景画像とからなるオーバーレイ画像を生成する。
【００５１】
次に、画像生成サーバ６は、オーバーレイ画像をＷｅｂサーバ５に送信する（ステップＳ１９）。
Ｗｅｂサーバ５は、オーバーレイ画像を受信すると、まず、受信したオーバーレイ画像を、地図画像に貼付けることにより、生育情報マップを生成する。そして、Ｗｅｂサーバ５は、生育情報マップを含む閲覧画面を構成するＨＴＭＬファイルを生成する（ステップＳ２０）。
【００５２】
次に、Ｗｅｂサーバ５は、生成されたＨＴＭＬファイルを、ユーザ端末に送信する（ステップＳ２１）。
ユーザ端末２は、Ｗｅｂサーバ５からのＨＴＭＬファイルを受信すると、受信したＨＴＭＬファイルに基づいて、閲覧画面をディスプレイ２２に表示する（ステップＳ２２）。
閲覧画面の構成は、図３に示される閲覧画面８０と同様である。つまり、閲覧画面は、表示範囲設定画面８１と、表示態様設定画面８２と、確定ボタン８３と、マップ表示画面８４と含む。マップ表示画面８４には、表示範囲設定画面８１を用いて設定された表示範囲に応じた圃場に対する生育情報画像であって、表示範囲設定画面８１を用いて設定された生育情報種類および表示態様設定画面８２を用いて設定された表示態様に基いて生成された生育情報画像を含む生育情報マップが表示される。
【００５３】
この閲覧画面に基づいて、生育情報マップの表示範囲や表示態様を変更することもできる。生育情報マップの表示範囲や表示態様が変更された場合には、前記ステップＳ１３以降の処理と同様な処理が再度実行されることになる。
前述の実施形態によれば、生育情報マップの表示範囲および生育情報マップの表示態様をユーザが容易に設定できるようになる。そして、ユーザによって設定された表示範囲に応じた生育情報マップを、ユーザによって設定された表示態様で生成してユーザ端末に提供できる。
【００５４】
以上、この発明の実施形態について説明したが、この発明はさらに他の形態で実施することもできる。例えば、前述の実施形態では、複数種類の生育情報から、生育情報画像を生成すべき生育情報を設定するための情報種別選択ボタン９７は、表示範囲設定画面８１内に設けられている。しかし、情報種別選択ボタン９７は、図１０に示すように、表示態様設定画面８２内に設けられてもよい。また、情報種別選択ボタン９７は、図１１に示すように、閲覧画面８０内において表示範囲設定画面８１および表示態様設定画面８２とは別に設けられてもよい。
【００５５】
また、前述の実施形態では、表示態様設定画面８２は、マップ表示画面８４を含む閲覧画面が表示されるときに、この閲覧画面内に表示されている。しかし、マップ表示画面８４を含む閲覧画面が表示されるときに、表示態様設定画面８２を表示せずに、この閲覧画面に対するユーザ操作に基づいて、表示態様設定画面８２を表示するようにしてもよい。例えば、マップ表示画面８４を含む閲覧画面に、表示態様設定画面８２を表示させるためのボタンを表示し、このボタンが操作された場合に、表示態様設定画面８２を表示させるようにしてもよい。
【００５６】
また、前述の実施形態では、表示範囲設定画面８１は、マップ表示画面８４を含む閲覧画面が表示されるときに、この閲覧画面内に表示されている。しかし、マップ表示画面８４を含む閲覧画面が表示されるときに、表示範囲設定画面８１を表示せずに、この閲覧画面に対するユーザ操作に基づいて、表示範囲設定画面８１を表示するようにしてもよい。例えば、マップ表示画面８４を含む閲覧画面に、表示範囲設定画面８１を表示させるためのボタンを表示し、このボタンが操作された場合に、表示範囲設定画面８１を表示させるようにしてもよい。
【００５７】
また、表示範囲設定画面８１によって設定される表示範囲設定項目は、前述した項目に限らず、任意に設定することができる。同様に、表示態様設定画面８２によって設定される表示態様設定項目は、前述した項目に限らず、任意に設定することができる。
また、前述の実施形態では、特定ユーザ（ログインユーザ）に最初に提示される生育情報マップ（初期閲覧画面に表示される生育情報マップ）は、デフォルトの生育情報種類およびデフォルトの表示態様設定内容に基づいて生成されている。しかし、特定ユーザによって設定された最新の生育情報種類および表示態様設定内容に基づいて、初期閲覧画面に表示される生育情報マップを生成するようにしてもよい。
【００５８】
また、前述の実施形態では、生育情報マップの表示範囲および表示態様の両方を設定できるようになっているが、いずれか一方のみを設定できるようになっていてもよい。つまり、閲覧画面（初期閲覧画面を含む）に、表示範囲設定画面８１および表示態様設定画面８２のうち、いずれか一方のみが表示されるようになっていてもよい。
また、前述の実施形態では、複数種類の生育情報から、生育情報画像を生成すべき生育情報を設定できるようになっているが、生育情報は１種類に固定されていてもよい。
【００５９】
前述の実施形態では、生育情報は、葉色情報、植被率情報または葉色・植被率乗算値情報であるが、生育情報は作物の生育に関する情報であれば、これらの情報以外の情報であってもよい。生育情報は、例えば、作物の生育状況から算出される施肥量であってもよい。
その他、特許請求の範囲に記載された事項の範囲で種々の設計変更を施すことが可能である。
【符号の説明】
【００６０】
１  生育情報マップ表示システム
２  ユーザ端末
３  生育情報マップ提供システム
４  インターネット
５  Ｗｅｂページ提供サーバ（Ｗｅｂサーバ）
６  画像生成サーバ
７  情報蓄積サーバ
２１  パーソナルコンピュータ
２２  ディスプレイ
２３  操作機器
５１  Ｗｅｂページ生成プログラム
５２  ユーザ別圃場テーブル
５３  圃場情報管理テーブル
５４  地図画像
６１  画像生成プログラム
７１  データ管理プログラム
７２  メッシュ情報管理テーブル
８０  閲覧画面
８１  表示範囲設定画面
８２  表示態様設定画面
８３  確定ボタン
８４  マップ表示画面
【図１】
2019207638.tif 000003
【図２】
2019207638.tif 000004
【図３】
2019207638.tif 000005
【図４】
2019207638.tif 000006
【図５】
2019207638.tif 000007
【図６】
2019207638.tif 000008
【図７】
2019207638.tif 000009
【図８】
2019207638.tif 000010
【図９Ａ】
2019207638.tif 000011
【図９Ｂ】
2019207638.tif 000012
【図１０】
2019207638.tif 000013
【図１１】
2019207638.tif 000014